(57)【特許請求の範囲】
【請求項１】
連結すべき管のそれぞれに固定する管状の雄部材（１）および雌部材（２）から成る急速管継手であって、
急速継脱手段（１１−１３；１５−２０）を備えており、上記雄部材（１）および雌部材（２）がそれぞれ軸方向突出部（５，６）を有し、更にこれら軸方向突出部（５，６）に円錐形状の相互係合面（２５，２６）を有すると共に、
急速継脱手段（１１，１３）が、雄部材（１）および雌部材（２）の軸線（１０）に直交する面内で円周方向に配設された複数の締付け部材（１１）を有しており、これら部材（１１）は、管の連結時に雄部材（１）の軸方向突出部（５）を包囲被覆する雌部材（２）の対応軸方向突出部（６）に形成された半径方向の窓部（１２）内に、半径方向に変位可能に挿入されており、上記急速継脱手段（１１，１３）はまた雌部材（２）の軸方向突出部（６）の周囲に設けた環（１３，６１）を有しており、この環（１３，６１）を上記軸方向突出部（６）に関し運動させて締付け部材（１１）に作用させ、これらの締付け部材（１１）を、雄部材（１）および雌部材（２）の連結時には雄部材（１）の半径方向座部（１５）に押し付け、また雄および雌部材（１，２）の連結解除の際には環（１３，６１）自体の半径方向座部（１６）内に受け入れるようにし、
更に雌部材（２）に運動可能に設けられ、雄部材（１）の前方肩部（２２）に対し弾性的に押圧される浮動密封環（２１）を備えており、これにより上記雄部材（１）および雌部材（２）間の液密構成を形成するように構成したことを特徴する急速管継手。
【請求項２】
雄部材（１）の軸方向突出部（５）の前記半径方向座部（１５）を１個の環状みぞ穴の形で形成したことを特徴とする請求項１の急速管継手。  
【発明の詳細な説明】
【０００１】
【産業上の利用分野】
本発明は、急速管継手に関するものである。
【０００２】
【従来の技術】
多くの分野で、２本の管  （パイプ）  の急速連結およびそれと同様な急速連結解除を行うための継手を利用可能とすることが有用である。このような管継手は、例えば、時には危険を伴うこともある困難な環境条件下における、公海上での或いは海から陸へのまたはその逆の、流動性石油製品の輸送に欠くことの出来ないものである。
【０００３】
現在、数種の管継手が知られており、それらの中には、本願出願人の特許の対象となったものも含まれている。
本願出願人名義のイタリア共和国特許第１１７３３４２号  （出願日：１９８４年２月２３日）  を参照すると、それには、連結すべき管のそれぞれに固定可能な筒状の２本の継手部材と、これらの部材のための急速継脱手段とを有する急速管継手が記載開示されている。急速継脱手段は、継手部材の軸に直交する面内で、円周方向に配設された複数の締付け部材  （セグメント）  を有し、これらの締付け部材は、管の連結時に第２の継手部材を部分的に包囲被覆する第１の継手部材に形成された半径方向窓部内に半径方向に変位可能に挿入されている。急速継脱手段はまた回転環を有しており、この環を第１の継手部材の突出部の周囲に回転させて締付け部材に作用させ、これらの締付け手段を、継手部材同志の連結時には第２の継手部材の半径方向座部に押し付け、また連結解除時には環自体の半径方向座部内に入れるように構成されている。
【０００４】
更に、上記イタリア共和国特許において、２本の継手部材の相互係合面は円筒形状となっており、継手部材同志の間の液密構成は、上記相互係合面同志の間に環状密封部材  （シール）  を設けることにより形成されている。
管  （パイプ）  の連結解除は、回転環を適当な位置又は姿勢に回転させた後、管に軸方向の分離させる力を加えることにより行われる。しかし、公海または外洋上或いは困難な環境条件下では容易に発生しがちなように、管同志の間に曲げモーメントが発生した場合、そのような連結解除は困難となりまた時には全くなし得なくなることもある。
【０００５】
【発明が解決しようとする課題】
本発明の主目的は、管同志の間に曲げモーメントの発生した場合にも管同志の連結解除が可能な急速管継手を完成提供することである。
本発明の他の目的は、管同志の間に完全な液密構成も形成し得る急速管継手を完成提供することである。
【０００６】
【課題を解決するための手段】
上記目的を達成するため、本発明によれば、連結すべき管  （パイプ）  のそれぞれに固定される管状の雄部材と雌部材とから成ると共に急速継脱手段を備えており、雄部材および雌部材が円錐形状の相互係合面を有することを特徴とする急速管継手が提供される。
【０００７】
本発明のもうひとつの重要な特徴によれば、雄部材と雌部材の間の液密構成が、雌部材に運動可能に設けられ、雄部材の前方肩部に対し弾性的に押圧される浮動密封環により形成される。
本発明の諸構成特徴が、本発明の範囲を限定するものではない例示の意味で添付図面に図示されたふたつの実施例につき以下に行う記載から明らかとなるであろう。
【０００８】
【実施例】
図１および図２を参照すると、それらに示された急速管継手は、フランジ部３および軸方向突出部５により形成された筒状の雄部材１と、フランジ部４および軸方向突出部６により形成された筒状の雌部材２を有している。フランジ部３，４は、穴７，８に挿入されたねじにより、連結すべき管  （パイプ）  にそれぞれ固定されるようになっている。他方、軸方向突出部５，６は、それらの一方５が他方６内に挿入される形で継ぎ合わされて、一方の管から他方の管への、それらの管に共通の軸線１０に沿った流体の流れのための、ひとつの円形の管路９を形成するようになっている。
【０００９】
雄部材１と雌部材２の間の連結は、相互係合円錐面を有するそれぞれの面２５，２６と介して行われる。この構成によれば、連結管同志の間に曲げモーメントが発生した場合にも、雄および雌部材１および２の分離が可能となる。
雄および雌部材１および２の相互接続、従ってまたこれらの部材１，２に固定された２本の管の相互接続は、急速継脱手段により行われるのであるが、この手段は、流体流の軸線１０に直交する面内で、円周方向に配設され、雌部材２の軸方向突出部６に設けられた半径方向窓部１２内に、半径方向に変位  （出入り）  可能に挿入された複数の締付け部材  （セグメント）  １１を有する。
【００１０】
円周方向に連続配設された締付け部材１１を被う形で、雌部材２に環又は回転環１３が設けられているが、この環１３は、制御棒１４  （または、それに代えて、図２に示されためくら穴４６に挿入可能な補足棒４５）  により回転操作可能となっており、また、この環１３を半径方向に貫通して設けられ、雌部材２の軸方向突出部６に形成された座部  （シート）  ２８中に挿入可能なピン２７により、雄および雌部材１および２を相互に連結させる位置または姿勢に締付け可能となっている。座部２８からピン２７を抜いて、環１３の締付け解除を行うには、つば２９を取付けた制御棒１４を、係止ピン３１を外してから、その支点３０周囲に回転させればよい。
【００１１】
図２に示されているように、回転環１３の内方壁面と締付け部材１１の外方壁面は相互係合して、締付け部材１１を流体流の軸１０に向う方向に、また雄部材１の軸方向突出部５の外方壁面に連続みぞ穴の形に形成した半径方向座部１５内に押し付けるようになっている。回転環１３の内方壁面には、  （締付け部材１１のそれぞれにつきひとつの）  半径方向座部１６が形成されていて、回転環１３を図２に示された位置または姿勢に関し回転させると、雄部材１の環状の座部１５外に出た締付け部材１１がそれらの半径方向座部１６中に入り得るようになっている。締付け部材１１の傾斜面部１７，１８と半径方向座部１５，１６の対応傾斜面部１９，２０  （図１および図２）  が相互係合して、後述のように締付け部材１１の半径方向の変位が容易となるように構成されている。
【００１２】
滑動ピン３３により、雌部材２の前方肩部３２に、それと１体構成状に浮動密封環２１が設けられている。この密封環２１は、雄部材１の前方肩部２２に対し、ばね３４により弾性的に押圧されており、またそれには前方の環状密封部材  （シール）  ３５が設けられていて、この構成により、連結管  （パイプ）  同志の間に曲げモーメントが発生した場合にも、雄および雌部材１および２間に確実に液密構成が形成されるようになっている。
【００１３】
雄および雌部材の連結および連結解除は以下のように行われる。制御棒１４を図２に示される締付け位置に回動操作すると、回転環１３が、その内方壁面で  （雌部材２の半径方向窓部１２内に位置した）  締付け部材１１を押圧し、それら部材１１を雄部材１の環状の座部１５内に係合した状態に保持する位置または姿勢に締付けられる。このようにして、雄および雌部材１および２は相互に強固に連結され、従って部材１および２に固定された２本の管  （パイプ）  もそのような状態となる。この状態で、管路９を通しての、２本の管の一方から他方への処理済み流体製品の移送或いは輸送が可能となる。
【００１４】
連結管  （パイプ）  の急速連結解決を行うには、制御棒１４を設けたピン２７を上昇させ、次に  （手動により、或いは流体を利用した方法により）  制御棒１４  （または補足棒４５）  を操作して回転環１３を回転させ、この環１３の半径方向座部１６が変位可能な締付け部材１１の対向位置となるようにするのみでよい。締付け部材１１の傾斜面１７と環状の座部１５の傾斜面１９とが共同的に機能するように構成されているため、上記の状態に達すると、２本の管  （パイプ）  により雄および雌部材１および２に加えられる軸方向の分離または離反の力のみにより、締付け部材１１は、半径方向座部１５外への、また回転環１３の半径方向座部１６内への軸方向変位が可能となり、その結果、雄部材１と雌部材２およびそれらに固定された２本の管の相互係合解除、従って連結解除が可能となる。
【００１５】
雄部材１と雌部材２の相互係合面２５，２６が円錐形状であるため、曲げモーメントが発生した場合或いはそれが存在する場合でも、雄雌両部材１および２に加えられる軸方向の力のみにより、それら部材の分離が行い得る。
他方管同志の急速連結を改めて行うには、雄部材１および雌部材２の軸方向突出部５および６を、それらの一方を他方に挿入させる形で連結させ、次に制御棒１４を急速に図２に示される位置に回転させ、それにより、回転環１３の内方壁面を締付け部材１１に再び係合させるのみでよい。この操作により、締付け部材１１は、雌部材２の環状の半径方向座部１５内に再び入り込むが、この変位は、締付け部材１１の傾斜面１８と半径方向座部１６の傾斜面２０が共同的に機能する構成のため、容易に起り得る。このようにして、雄雌両部材１および２と２本の管  （パイプ）  は相互に強固に継ぎ合わされ、ピン２７により、このような締付け状態は確実に保持される。
【００１６】
この状態において、浮動密封環２１は、雄部材１の前方肩部２２に対し弾性的に押圧されており、このため雄雌両部材１および２の間には液密構成が確実に形成されている。使用時、この密封構成は、浮動密封環２１の後方部に、それとは反対側の環状密封部材  （シール）  ３５により制限されたものよりも一層大きなスラスト面があり、雄部材１の前方肩部２２と係合する方向に推力  （スラスト）  差が生じるように構成されているため、輸送される流体の圧力により一層確実なものとなる。
【００１７】
図３ないし図５に示される急速管継手は、技術思想上、図１および図２に示されたものと同一のものであるが、唯一の相違点は、締付け部材１１の運動  （変位）  が、  （締付け時用の）  環状室６２および  （連結解除時用の）  環状室６３内に適宜送られる油により水力式に作動される軸方向に直動可能な環６１により行われるようになっていることである。
【００１８】
この環６１と締付け部材１１とが補完状の傾斜面６４および６５を有しているため、環６１の軸方向への前進運動が、対向位置の締付け部材１１が相互に接近する横断方向の相互運動に変換され、締付け部材１１を雄部材１の環状の半径方向座部１５内に挿入し得るようになっている。
図３および図４は、特に、締付け部材１１および環６１が締付け  （即ち管連結）  状態にある時の管継手を示す一方、図５は、環６１が後退位置にあり、締付け部材１１が半径方向座部またはみぞ穴１５外に突出した状態にある、連結解除時の、図３および図４に示された管継手のものと同一の部材を示している。
【００１９】
【発明の効果】
雄部材１と雌部材２とが円錐形状の相互係合面により連結されるため、２本の連結管  （パイプ）  に曲げモーメントが作用する場合にも、雄雌部材１および２の連結解除が容易に行い得ることは、理解容易であろう。
管の連結状態時、浮動密封環２１により完全な液密構成が形成されるが、この液密構成は、管継手の使用時、輸送される流体の、浮動密封管２１の後方側に作用する圧力が、前方の環状密封部材  （シール）  ３５が設けられていて流体の圧力が反対方向に作用する面に比較して一層大きな面に作用するので、この流体の圧力により密封の効果を高めることが出来る。
【図面の簡単な説明】
【図１】本発明による急速管継手の１実施例を示す、図２のＩ−Ｉ線矢視軸方向断面図である。
【図２】図１のＩＩ−ＩＩ線矢視横断面図である。
【図３】本発明による急速管継手の他の実施例を示す、図４のＩＩＩ−ＩＩＩ線矢視軸方向断面図である。
【図４】図３のＩＶ−ＩＶ線矢視横断面図である。
【図５】連結解除作業時の、図３の管継手の１部を示す断面部分図である。
【符号の説明】
１    雄部材                                                    ２    雌部材
３，４  フランジ部                  ５，６  軸方向突出部
１０  軸線                          １１  締付け部材
１２  （半径方向）  窓                                  １３  （回転）  環
１５，１６  （半径方向）  座部          １７，１８，１９，２０  傾斜面
２５，２６  相互係合面
【図１】
0003582842.tif 000002
【図２】
0003582842.tif 000003
【図３】
0003582842.tif 000004
【図４】
0003582842.tif 000005
【図５】
0003582842.tif 000006